(57)【要約】【課題】本発明は、カラーフィルター用インクを提供する。【解決手段】本発明のカラーフィルター用インクは、０．１〜４０重量％の着色剤と、１〜９５重量％の溶剤と、０．０１〜１５重量％の開始剤と、０．５〜８０重量％のオリゴマーを含み、重合体樹脂の使用量を減少することまたは重合体樹脂を使わないことを通じて、良い粘着性と安定性を持つ。【選択図】なし【特許請求の範囲】
【請求項１】
０．１〜４０重量％の着色剤と、
１〜９５重量％の溶剤と、
０．０１〜１５重量％の開始剤と、
０．５〜８０重量％のオリゴマーを含むことを特徴とするカラーフィルター用インク。
【請求項２】
前記着色剤の好ましい重量部の割合が３〜１５重量％であることを特徴とする請求項１に記載のカラーフィルター用インク。
【請求項３】
前記溶剤の好ましい重量部の割合が２５〜８５重量％であることを特徴とする請求項１に記載のカラーフィルター用インク。
【請求項４】
前記開始剤の好ましい重量部の割合が０．１〜８重量％であることを特徴とする請求項１に記載のカラーフィルター用インク。
【請求項５】
前記オリゴマーの好ましい重量部の割合が３〜６５重量％であることを特徴とする請求項１に記載のカラーフィルター用インク。
【請求項６】
前記着色剤は、染料または顔料を含むことを特徴とする請求項１に記載のカラーフィルター用インク。
【請求項７】
前記顔料は、ピグメントレッド１２２、ピグメントレッド１７７、ピグメントレッド１８５、ピグメントレッド２０２、ピグメントレッド２０６、ピグメントレッド２０７、ピグメントレッド２０９、ピグメントレッド２２４、ピグメントレッド２５４、ピグメントレッド２６４、ピグメントブルー１５：３、ピグメントブルー１５：４、ピグメントブルー１５：６、ピグメントグリーン７及びピグメントグリーン３６を含むことを特徴とする請求項６に記載のカラーフィルター用インク。
【請求項８】
前記溶剤は、有機溶剤であることを特徴とする請求項１に記載のカラーフィルター用インク。
【請求項９】
前記有機溶剤は、エステル、エーテル、アルコールエーテール、ケトン、アルコール、多価アルコール誘導体及び窒素を含んだ溶剤を含むことを特徴とする請求項８に記載のカラーフィルター用インク。
【請求項１０】
前記有機溶剤は、メトキシブタノール、イソプロピルアルコール、ブタノール、ベンジルアルコール、ブチルエーテル、テトラヒドロフラン、エチレングリコールプロピルエーテル、エチレングリコールブチルエーテル、エチレングリコールベンジルエーテル、エチレングリコールブチルエーテルアセテート、ジエチレングリコールモノメチルエーテル、ジエチレングリコールモノエチルエーテル、ジエチレングリコールモノブチルエーテル、ジエチレングリコールヘキシルエーテル、トリエチレングリコールモノメチルエーテル、トリエチレングリコールモノエチルエーテル、トリエチレングリコールモノブチルエーテル、プロピレングリコールモノメチルエーテル、プロピレングリコールモノメチルエーテルアセテート, プロピレングリコールモノブチルエーテル、トリプロピレングリコールモノブチルエーテル、プロピレングリコールベンジルエーテル、酢酸エチル、安息香酸エチルエステル、３−エトキシプロピオン酸エチル、アセトン、メチルエチルケトン、メチルアミルケトン、メチルイソブチルケトン、ジイソブチルケトン、イソホロン、シクロヘキサノン、２−ピロリジンケトン、Ｎ−メチル−２−ピロリジンケトンまたはジメチルスルホキシドを含むことを特徴とする請求項９に記載のカラーフィルター用インク。
【請求項１１】
前記開始剤は、熱開始剤と光開始剤を含むことを特徴とする請求項１に記載のカラーフィルター用インク。
【請求項１２】
前記熱開始剤は、過酸化−ベンゾイルまたはアゾビスイソブチロニトリルを含むことを特徴とする請求項１１に記載のカラーフィルター用インク。
【請求項１３】
前記光開始剤は、４，４−ビス（ジメチルアミノ）ベンゾフェノン、４，４’−ビス（ジエチルアミノ）ベンゾフェノン、２−（４−メトキシフェニル）−４，６−ビス（トリクロルメチル）１，３，５−トリアジン、トリス（トリクロルメチル）１，３，５−トリアジンを含むことを特徴とする請求項１１に記載のカラーフィルター用インク。
【請求項１４】
前記オリゴマーは、有機不飽和のハイドロカーボンまたは不飽和のポリエステルオリゴマーを含むことを特徴とする請求項１に記載のカラーフィルター用インク。
【請求項１５】
前記有機不飽和のハイドロカーボンまたは不飽和のポリエステルオリゴマーは、エポキシアクリル酸塩オリゴマー、エポキシメチルアクリル酸塩オリゴマー、ポリエステルアクリル酸塩オリゴマー、ウレタンメチルアクリル酸塩オリゴマー、ウレタンアクリル酸塩オリゴマー、アミン変性エポキシアクリル酸塩オリゴマー、アミン変性ポリエステルアクリル酸塩オリゴマー、ポリブタジエンアクリル酸塩オリゴマー、アクリル酸塩オリゴマー、ジアクリル酸塩オリゴマー、トリアクリル酸塩オリゴマー、金属アクリル酸塩オリゴマー及びウレタンオリゴマーを含むことを特徴とする請求項１４に記載のカラーフィルター用インク。
【請求項１６】
前記オリゴマーは、一種または複数種の官能基を有するオリゴマーであり、該官能基が-ＯＨ、-ＨＣＮ、-ＮＨ、-ＮＣＯ、-ＣＯＯＨ、-ＳＨ、エポキシ基、ビニールグループ、ベンゼン環、アミドグループ、エステル、ウレタン、シロキサン、硫化物、酸無水物、ユリアホルムアルデヒド樹脂、炭酸、ホスファートエステル、スルホンを含むことを特徴とする請求項１に記載のカラーフィルター用インク。
【請求項１７】
前記カラーフィルター用インクは、重量部の割合が０〜３０重量％である添加剤を含むことを特徴とする請求項１に記載のカラーフィルター用インク。
【請求項１８】
前記添加剤の重量部の割合が好ましくは、０．１〜１０重量％であることを特徴とする請求項１６に記載のカラーフィルター用インク。
【請求項１９】
前記添加剤は、界面活性剤、分散剤、発泡防止剤または泡消剤、レべリング剤、沈降防止剤、密着性促進剤と粘稠剤の中の一種または複数種の混合物であることを特徴とする請求項１６に記載のカラーフィルター用インク。
【請求項２０】
前記界面活性剤は、シロキサンを含んだ有機化合物、弗素を含んだ有機化合物、ポリオキシエチレンの有機化合物、及び変性ポリオキシエチレンの有機化合物を含むことを特徴とする請求項１８に記載のカラーフィルター用インク。
【請求項２１】
前記分散剤は、アクリル酸塩または変性アクリル酸塩の有機化合物、ウレタンまたは変性ウレタンの有機化合物を含むことを特徴とする請求項１８に記載のカラーフィルター用インク。
【請求項２２】
前記発泡防止剤または泡消剤は、シロキサンを含んだ有機化合物、ポリオキシエチレンの有機化合物、及び変性ポリオキシエチレンの有機化合物を含むことを特徴とする請求項１８に記載のカラーフィルター用インク。
【発明の詳細な説明】
【技術分野】
【０００１】
本発明は、カラーフィルターの製造することに用いられるインクに関して、特に架橋性インクに関するものである。  
【背景技術】
【０００２】
カラーフィルターは、液晶表示装置の重要な素子である。液晶表示装置に用いられるカラーフィルターは、白光を赤光、緑光、青光に分けることができるから、液晶表示装置のカラー化を実現できる。
【０００３】
今、カラーフィルターを製造する方法は、主に、顔料分散法とインクジェット法を含む。
【０００４】
現在、広く応用されている顔料分散法は、基板にカラーフォトレジストを回転塗布方式で塗布する製造方法である。具体的には、赤いフォトレジスト、緑いフォトレジスト及び青いフォトレジストをそれぞれブラックマトリックスを有した基板に塗布し乾燥させ、マスクを利用し、露光と現像を行い、カラーフィルターを形成する。しかしながら、この方法は、Ｒ、Ｇ及びＢの３色を着色するために、同一の工程を３回繰り返す必要があり、コスト高になるという問題や、工程を繰り返すため歩留まりが低下するという問題がある。
【０００５】
インクジェット法は、従来の方法と異なり、インクジェット装置を利用し、赤、緑、青のインクをヘッドユニットのノズルから基板に吐出した後、着色層を形成する。この方法は、インクの使用に浪費しないが、高精度が必要となる。赤、緑、青のサブピクセルを同時に形成するから、工程が簡単で、コストを低減できる。
【０００６】
インク吸収層がないガラス基板のサブピクセルの領域にインクを吐出するときには、該領域のインクが隣のサブピクセル領域に流れやすく、混色の現象を生じる。従って、インク吸収層がないガラス基板のサブピクセルの領域に吐出するインクは、加熱または紫外線の照射を進行した後、該ガラス基板に付着される架橋性インクであることが必要となる。
【発明の開示】
【発明が解決しようとする課題】
【０００７】
従来技術に記載されているインクは、反応性モノマー、溶剤、開始剤、高分子樹脂、分散剤、顔料及び添加剤を含む。該添加剤を使うのは、インクが基板への付着力、機械強度等の物理化学性質の要求を満足することからである。インクジェットヘッドのノズルが小さいので、何れかの適当ではない分子はノズルで目詰まりしてインクの吐出に影響する。また、インクの安定性から見れば、多くの高分子樹脂を添加し、或いは組成が複雑化することが原因で、インクの安定性への要求を達成することが困難となる。従って、本発明は、インクの安定性と粘着性を高めるために、高分子樹脂を減少または除去するカラーフィルター用インクを提供する。
【課題を解決するための手段】
【０００８】
本発明のカラーフィルター用インクは、０．１〜４０重量％の着色剤と、１〜９５重量％の溶剤と、０．０１〜１５重量％の開始剤と、０．５〜８０重量％のオリゴマーを含む。                                                                            
【発明の効果】
【０００９】
従来技術と比べて、本発明に係るカラーフィルター用インクは、重合体樹脂（Ｐｏｌｙｍｅｒ  Ｒｅｓｉｎ）の使用量を減少することまたは重合体樹脂を使わないことを通じて、よい粘着性と安定性を持つことができる。
【発明を実施するための最良の形態】
【００１０】
次に、本発明のカラーフィルター用インクを詳しく説明する。
【００１１】
本発明のカラーフィルター用インクは、０．１〜４０重量％の着色剤と、１〜９５重量％の溶剤と、０．０１〜１５重量％の開始剤と、０．５〜８０重量％のオリゴマーを含む。
【００１２】
前記着色剤の好ましい重量部の割合が３〜１５重量％であり、前記溶剤の好ましい重量部の割合が２５〜８５重量％であり、前記オリゴマーの好ましい重量部の割合が３〜６５重量％であり、前記開始剤の好ましい重量部の割合が０．１〜８重量％である。
【００１３】
前記着色剤は、染料及び顔料の一種又は両種を含む。該着色剤は顔料であることが好ましい。普通の赤顔料は、ピグメントレッド１２２、ピグメントレッド１７７、ピグメントレッド１８５、ピグメントレッド２０２、ピグメントレッド２０６、ピグメントレッド２０７、ピグメントレッド２０９、ピグメントレッド２２４、ピグメントレッド２５４、ピグメントレッド２６４を含む。普通の青顔料は、ピグメントブルー１５：３、ピグメントブルー１５：４、ピグメントブルー１５：６を含む。普通の緑顔料は、ピグメントグリーン７及びピグメントグリーン３６を含む。
【００１４】
前記溶剤は有機溶剤である。該溶剤は、主に、エステル、エーテル、アルコールエーテール、ケトン、アルコール、多価アルコール誘導体及び窒素を含んだ溶剤を含む。具体的には、該溶剤が下記のような材料が選らばれる。例えば、メトキシブタノール、イソプロピルアルコール、ブタノール、ベンジルアルコール、ブチルエーテル、テトラヒドロフラン、エチレングリコールプロピルエーテル、エチレングリコールブチルエーテル、エチレングリコールベンジルエーテル、エチレングリコールブチルエーテルアセテート、ジエチレングリコールモノメチルエーテル、ジエチレングリコールモノエチルエーテル、ジエチレングリコールモノブチルエーテル、ジエチレングリコールヘキシルエーテル、トリエチレングリコールモノメチルエーテル、トリエチレングリコールモノエチルエーテル、トリエチレングリコールモノブチルエーテル、プロピレングリコールモノメチルエーテル、プロピレングリコールモノメチルエーテルアセテート, プロピレングリコールモノブチルエーテル、トリプロピレングリコールモノブチルエーテル、プロピレングリコールベンジルエーテル、酢酸エチル、安息香酸エチルエステル、３−エトキシプロピオン酸エチル、アセトン、メチルエチルケトン、メチルアミルケトン、メチルイソブチルケトン、ジイソブチルケトン、イソホロン、シクロヘキサノン、２−ピロリジンケトン、Ｎ−メチル−２−ピロリジンケトンまたはジメチルスルホキシドなどである。
【００１５】
前記開始剤は、熱開始剤と/または光開始剤を含む。該熱開始剤は、過酸化−ベンゾイル（Ｂｅｎｚｏｙｌ  Ｐｅｒｏｘｉｄｅ，ＢＰＯ）、アゾビスイソブチロニトリル（Ａｚｏｂｉｓｉｓｏｂｕｔｙｒｏｎｉｔｒｉｌｅ，ＡＩＢＮ）などを含む。
【００１６】
前記光開始剤は、４，４−ビス（ジメチルアミノ）ベンゾフェノン（４，４−Ｂｉｓ（ｄｉｍｅｔｈｙｌａｍｉｎｏ）Ｂｅｎｚｏｐｈｅｎｏｎｅ）、４，４’−ビス（ジエチルアミノ）ベンゾフェノン（４，４’−Ｂｉｓ（Ｄｉｅｔｈｙｌａｍｉｎｏ）Ｂｅｎｚｏｐｈｅｎｏｎｅ）、２−（４−メトキシフェニル）−４，６−ビス（トリクロルメチル）１，３，５−トリアジン（２−（4−Ｍｅｔｈｏｘｙｐｈｅｎｙｌ）−４，６−Ｂｉｓ（Ｔｒｉｃｈｌｏｒｏｍｅｔｈｙｌ）−１，３，５−Ｔｒｉａｚｉｎｅ）、トリス（トリクロルメチル）１，３，５−トリアジン（Ｔｒｉｓ（ｔｒｉｃｈｌｏｒｏｍｅｔｈｙｌ）−１，３，５−Ｔｒｉａｚｉｎｅ）などを含む。今、該光開始剤の主な産品は、ＩＲＧＡＣＵＲＥ（登録商標）８１９、ＩＲＧＡＣＵＲＥ（登録商標）３６９、ＩＲＧＡＣＵＲＥ（登録商標）２９５９、ＩＲＧＡＣＵＲＥ（登録商標）３７９、ＩＲＧＡＣＵＲＥ（登録商標）１８４、ＩＲＧＡＣＵＲＥ（登録商標）７８４、ＩＲＧＡＣＵＲＥ（登録商標）２５０、ＩＲＧＡＣＵＲＥ（登録商標）９０７、ＩＲＧＡＣＵＲＥ（登録商標）６５１、ＩＲＧＡＣＵＲＥ（登録商標）ＯＸＥ０１、ＩＲＧＡＣＵＲＥ（登録商標）ＯＸＥ０２、ＩＲＧＡＣＵＲＥ（登録商標）５００、ＩＲＧＡＣＵＲＥ（登録商標）１８００、ＩＲＧＡＣＵＲＥ（登録商標）１０００、ＩＲＧＡＣＵＲＥ（登録商標）１７００、ＩＲＧＡＣＵＲＥ（登録商標）ＢＰ、ＩＲＧＡＣＵＲＥ（登録商標）１１７３、ＣＧＩ−２４２、ＤＡＲＯＣＵＲＥ（登録商標）１１７３、ＣＧＩ−５５２、ＣＨＩＶＡＣＵＲＥ（登録商標）ＴＰＯ、ＣＨＩＶＡＣＵＲＥ（登録商標）ＴＰＯ−Ｌ、ＣＨＩＶＡＣＵＲＥ（登録商標）２００、ＣＨＩＶＡＣＵＲＥ（登録商標）１０７、ＣＨＩＶＡＣＵＲＥ（登録商標）１８４またはＣＨＩＶＡＣＵＲＥ（登録商標）２８４などを含む。
【００１７】
前記オリゴマーは、有機不飽和のハイドロカーボンまたは不飽和のポリエステルオリゴマーを含む。該オリゴマーは、下記のような材料を含み、しかしながら、これらの材料に限らない。例えば、エポキシアクリル酸塩オリゴマー（Ｅｐｏｘｙ  Ａｃｒｙｌａｔｅ  Ｏｌｉｇｏｍｅｒｓ）、エポキシメチルアクリル酸塩オリゴマー（Ｅｐｏｘｙ  Ｍｅｔｈａｃｒｙｌａｔｅ  Ｏｌｉｇｏｍｅｒｓ  ）ポリエステルアクリル酸塩オリゴマー（Ｐｏｌｙｅｓｔｅｒ  Ａｃｒｙｌａｔｅｓ  Ｏｌｉｇｏｍｅｒｓ）、ウレタンメチルアクリル酸塩オリゴマー（Ｕｒｅｔｈａｎｅ  Ｍｅｔｈａｃｒｙｌａｔｅ  Ｏｌｉｇｏｍｅｒｓ）、ウレタンアクリル酸塩オリゴマー（Ｕｒｅｔｈａｎｅ  Ａｃｒｙｌａｔｅｓ  Ｏｌｉｇｏｍｅｒｓ）、アミン変性エポキシアクリル酸塩オリゴマー（Ａｍｉｎｅ  Ｍｏｄｉｆｉｅｄ  Ｅｐｏｘｙ  Ａｃｒｙｌａｔｅｓ）、アミン変性ポリエステルアクリル酸塩オリゴマー（Ａｍｉｎｅ  Ｍｏｄｉｆｉｅｄ  Ｐｏｌｙｅｓｔｅｒ  Ａｃｒｙｌａｔｅｓ）、ポリブタジエンアクリル酸塩オリゴマー（Ｐｏｌｙｂｕｔａｄｉｅｎｅ  Ａｃｒｙｌａｔｅ  Ｏｌｉｇｏｍｅｒ）、アクリル酸塩オリゴマー（Ａｃｒｙｌａｔｅ  Ｏｌｉｇｏｍｅｒｓ）、ビアアクリル酸塩オリゴマー（Ｂｉａｃｒｙｌａｔｅ  Ｏｌｉｇｏｍｅｒｓ）、トリアクリル酸塩オリゴマー（Ｔｒｉａｃｒｙｌａｔｅ  Ｏｌｉｇｏｍｅｒ）、金属アクリル酸塩オリゴマー（Ｍｅｔａｌｌｉｃ  Ａｃｒｙｌａｔｅ  Ｏｌｉｇｏｍｅｒ）、ウレタンオリゴマー（Ｕｒｅｔｈａｎｅ  Ｏｌｉｇｏｍｅｒ）などである。  
【００１８】
更に、前記オリゴマーは、一種または複数種の官能基も含まれ、該官能基は、例えば、−ＯＨ、−ＨＣＮ、−ＮＨ、−ＮＣＯ、−ＣＯＯＨ、−ＳＨ、エポキシ基（Ｅｐｏｘｙ  Ｇｒｏｕｐ）、ビニールグループ（Ｖｉｎｙｌ  Ｇｒｏｕｐ）、ベンゼン環（Ａｒｏｍａｔｉｃ  Ｒｉｎｇ）、アミドグループ（Ａｍｉｄｅ  Ｇｒｏｕｐ）、エステル（Ｅｓｔｅｒ）、ウレタン（Ｕｒｅｔｈａｎｅ）、シロキサン（Ｓｉｌｏｘａｎｅ）、硫化物（Ｓｕｌｆｉｄｅ）、酸無水物（Ａｃｉｄ  Ａｎｈｙｄｒｉｄｅ）、ユリアホルムアルデヒド樹脂（Ｕｒｅａ）、炭酸（Ｃａｒｂｏｎａｔｅ）、ホスファートエステル（Ｐｈｏｓｐｈａｔｅ  Ｅｓｔｅｒ）、スルホン（Ｓｕｌｆｏｎｅ）などである。
【００１９】
本発明のカラーフィルター用インクは、複数種の添加剤を添加してもよい。該添加剤の重量部の割合が０〜３０重量％であり、好ましい割合が０．１〜１０重量％である。該添加剤は、インクの性質を改変して、生産の条件と協力し、優れる産品特性と規格を獲得することに用いられる。該添加剤は、界面活性剤（Ｓｕｒｆａｃｔａｎｔ）、分散剤（Ｄｉｓｐｅｒｓａｎｔ）、発泡防止剤（Ａｎｔｉｆｏａｍｉｎｇ  Ａｇｅｎｔ）または泡消剤（Ｄｅｆｏａｍｅｒ）、レべリング剤（Ｌｅｖｅｌｉｎｇ  Ａｇｅｎｔ）、沈降防止剤（Ａｎｔｉ−Ｓｅｔｔｌｉｎｇ  Ａｇｅｎｔ）、密着性促進剤（Ａｄｈｅｓｉｏｎ  Ｐｒｏｍｏｔｅｒ）及び粘稠剤（Ｔｈｉｃｋｅｎｉｎｇ  Ａｇｅｎｔ）の何れかの一種または複数種の混合物を含む。
【００２０】
前記界面活性剤は、インクの表面張力を制御することに用いられ、例えば、シロキサンを含んだ有機化合物、弗素を含んだ有機化合物、ポリオキシエチレンの有機化合物、及び変性ポリオキシエチレンの有機化合物が選ばれる。
【００２１】
前記分散剤は、前記着色剤の分散安定性を増やすことに用いられる。下記のような材料を選んでもよい。例えば、アクリル酸塩または変性アクリル酸塩の有機化合物、ウレタンまたは変性ウレタンの有機化合物である。普通の分散剤の産品は、Ｓｏｌｓｐｅｒｓｅ５０００、Ｓｏｌｓｐｅｒｓｅ１７００、Ｓｏｌｓｐｅｒｓｅ２００００、Ｓｏｌｓｐｅｒｓｅ２４０００、Ｓｏｌｓｐｅｒｓｅ３２５００などが選ばれる。
【００２２】
前記発泡防止剤または泡消剤は、インクの泡を抑制、除去することに用いられる。下記のような材料を選んでもよい。例えば、シロキサンを含んだ有機化合物、ポリオキシエチレンの有機化合物、及び変性ポリオキシエチレンの有機化合物である。
【００２３】
前記レべリング剤は、膜構成の平整性を制御することに用いられる。前記密着性促進剤は、前記インクの密着性を増やすことに用いられる。前記沈降防止剤は、前記着色剤の沈降を防止することに用いられる。前記粘稠剤は、前記インクの粘度を調整することに用いられる。
【００２４】
本発明の第一実施例は、赤いインクを提供する。その組成物は、５．２５重量％の変性ピグメントレッド２５４、１０重量％のウレタンアクリル酸塩オリゴマー、２重量％のＩＲＧＡＣＵＲＥ（登録商標）１８４、８０重量％のプロピレングリコールメチルエーテルアセテート（Ｐｒｏｐｙｌｅｎｅ  Ｇｌｙｃｏｌ  Ｍｅｔｈｙｌ  Ｅｔｈｅｒ  Ａｃｅｔａｔｅ）及び２．７５重量％のＳｏｌｓｐｅｒｓｅ２４０００を含む。
【００２５】
本発明の第二実施例は、赤いインクを提供する。その組成物は、５．２５重量％の変性ピグメントレッド２５４、６重量％のウレタンアクリル酸塩オリゴマー、８５重量％のエチル３−エキトシプロピネ-ト、（Ｅｔｈｙｌ  ３−Ｅｔｈｏｘｙ  Ｐｒｏｐｉｏｎａｔｅ）、１重量％のＩＲＧＡＣＵＲＥ（登録商標）９０７及び２．７５重量％のＳｏｌｓｐｅｒｓｅ２４０００を含む。
【００２６】
本発明の第三実施例は、赤いインクを提供する。その組成物は、６重量％の変性ピグメントレッド２５４、６重量％のアクリル酸塩オリゴマー、１重量％のＩＲＧＡＣＵＲＥ（登録商標）１８４、８２重量％のプロピレングリコールメチルエーテルアセテート、３重量％のシクロヘキサノン（Ｃｙｃｌｏｈｅｘａｎｏｎｅ）及び２重量％のＳｏｌｓｐｅｒｓｅ２４０００を含む。
【００２７】
本発明の第四実施例は、緑のインクを提供する。その組成物は、４重量％の変性ピグメントグリーン３６、６重量％のポリエステルアクリル酸塩オリゴマー、７７重量％のプロピレングリコールメチルエーテルアセテート、１重量％のＩＲＧＡＣＵＲＥ（登録商標）９０７、８重量％のプロピレングリコールメチルエーテル及び４重量％のＳｏｌｓｐｅｒｓｅ２４０００を含む。
【００２８】
本発明の第五実施例は、赤いインクを提供する。その組成物は、３．２重量％の変性ピグメントレッド２５４、８０重量％のポリエステルアクリル酸塩オリゴマー、９．８重量％のプロピレングリコールメチルエーテルアセテート及び６重量％のＩＲＧＡＣＵＲＥ（登録商標）１８４及び１重量％のＳｏｌｓｐｅｒｓｅ２４０００を含む。
【００２９】
本発明の第六実施例は、緑のインクを提供する。その組成物は、５．２５重量％の変性ピグメントグリーン３６、０．５重量％のエポキシアクリル酸塩オリゴマー、６．５重量％のジペンタエリスリトールペンタアクリレート（Ｄｉｐｅｎｔａｅｒｙｔｈｒｉｔｏｌ  Ｐｅｎｔａａｃｒｙｌａｔｅ）、５重量％のＩＲＧＡＣＵＲＥ（登録商標）１８４、７２重量％のエチル３−エキトシプロピネ-ト、８重量％のシクロヘキサノン及び２．７５重量％のＳｏｌｓｐｅｒｓｅ２４０００を含む。
【００３０】
本発明のカラーフィルタ用インクは、高分子樹脂と反応性官能基モノマー材料の代わりに、オリゴマーを使うことによって、架橋性と安定性を持つカラーフィルタ用インクを獲得できる。本発明に係るカラーフィルタ用インクは-ＯＨ、-ＨＣＮ、-ＮＨ、 -ＮＣＯ、 -ＣＯＯＨ、-ＳＨ、エポキシ基などの官能基またはベンゼン環を含んだオリゴマーを採用して、高分子樹脂を添加しなくても、例えば、優れた粘着性、耐熱性、耐熔化性及び光学性能などの物理化学性質を持つことを保持できる。本発明のカラーフィルター用インクは、成分が少なく、組成が簡単だから、長期の安定性の要求を満足できる。